(57)【要約】【課題】  ハンドオーバする前に装置間でサービスの情報を共有することを目的とする。【解決手段】  本発明に係る通信装置は、第１の通信方式により他の通信装置と無線通信を行う第１通信手段と、第１通信方式と異なる第２通信方式により前記他の通信装置と無線通信を行う第２通信手段と、前記第１通信手段を用いて前記第２通信手段より前記他の通信装置と接続するための接続パラメータを要求するためのメッセージであって、前記通信装置が実行可能なサービスの情報が含まれる要求メッセージを送信する送信手段とを有することを特徴とする。【選択図】  図１
2015061168.tif 000002
【特許請求の範囲】
【請求項１】
通信装置であって、
第１の通信方式により他の通信装置と無線通信を行う第１通信手段と、
前記第１通信方式と異なる通信方式にハンドオーバするためのメッセージに含まれる一つのレコードに複数の通信方式を指定する情報を含めて当該メッセージを、前記第１通信手段を用いて送信する送信手段とを有することを特徴とする通信装置。
【請求項２】
前記他の通信装置からの前記メッセージに対する応答に含まれる接続パラメータを用いて前記他の通信装置と、当該接続パラメータに対応する通信方式において接続することを特徴とする請求項１に記載の通信装置。
【請求項３】
前記メッセージには、前記通信装置が要求する複数のサービスの情報が含まれ、
前記通信装置は、前記第１通信方式と異なる通信方式にハンドオーバ後に当該通信方式おける通信によりサービスを実行することを特徴とする請求項１または２に記載の通信装置。
【請求項４】
前記メッセージには、前記通信装置が提供可能なサービスまたは利用可能なサービスの情報が含まれていることを特徴とする請求項１乃至３何れか１項に記載の通信装置。
【請求項５】
前記他の通信装置からの前記メッセージに対する応答に基づいて、前記他の通信装置と前記第１通信方式と異なる通信方式により通信を行うかを判定する判定手段とを有することを特徴とする請求項１乃至４何れか１項に記載の通信装置。
【請求項６】
前記判定手段は、前記他の通信装置からの前記メッセージに対する応答に、前記通信装置が要求するサービスが前記他の通信装置の実行可能であることを示す情報が含まれている場合、前記第１通信方式と異なる通信方式により通信を行うと判定することを特徴とする請求項５に記載の通信装置。
【請求項７】
前記判定手段により前記前記第１通信方式と異なる通信方式により通信を行わないと判定された場合、ユーザに対してエラーを通知することを特徴とする請求項５または６に記載の通信装置。
【請求項８】
前記第１通信手段は、ＮＦＣ（Ｎｅａｒ  Ｆｉｅｌｄ  Ｃｏｍｍｕｎｉｃａｔｉｏｎ）により通信を行うことを特徴とする請求項１乃至７何れか１項に記載の通信装置。
【請求項９】
前記前記第１通信方式と異なる通信方式は、ＩＥＥＥ８０２．１１シリーズであることを特徴とする請求項１乃至８何れか１項に記載の通信装置。
【請求項１０】
前記メッセージは、ハンドオーバリクエストメッセージであることを特徴とする請求項１乃至９何れか一項に記載の通信装置。
【請求項１１】
前記複数の通信方式を指定する情報は、ワイルドカード情報であることを特徴とする請求項１乃至１０何れか１項に記載の通信装置。
【請求項１２】
第１の通信方式により他の通信装置と無線通信を行う第１通信手段を有する通信装置の制御方法であって、
前記第１通信方式と異なる通信方式にハンドオーバするためのメッセージに含まれる一つのレコードに複数の通信方式を指定する情報を含めて当該メッセージを、前記第１通信手段を用いて送信する送信工程とを有することを特徴とする通信装置の制御方法。
【請求項１３】
請求項１２に記載の制御方法をコンピュータが実行するためのプログラム。
【発明の詳細な説明】
【技術分野】
【０００１】
本発明は、通信技術に関する。
【背景技術】
【０００２】
近年、携帯電話機等においては、ＮＦＣ（Ｎｅａｒ  Ｆｉｅｌｄ  Ｃｏｍｍｕｎｉｃａｔｉｏｎ）、ＩｒＤＡ  （Ｉｎｆｒａｒｅｄ  Ｄａｔａ  Ａｓｓｏｃｉａｔｉｏｎ）、ＴｒａｎｓｆｅｒＪｅｔ（登録商標）などの近接無線通信が利用され始めている。装置同士を近づけるといった操作をユーザは行うだけで、近接無線通信により装置間でデータの送受信を行うことができる。また、このような近接無線通信から無線ＬＡＮ（ＩＥＥＥ８０２．１１シリーズ）やＢｌｕｅｔｏｏｔｈ（登録商標）等の異なる無線通信方式にハンドオーバする技術がある（特許文献１）。
【０００３】
また、ＮＦＣか無線ＬＡＮやＢｌｕｅｔｏｏｔｈ（登録商標）等の異なる無線通信方式にハンドオーバするためのプロトコルが国際標準規格として規格化されている（非特許文献１）。非特許文献１において、ＮＦＣ通信からのハンドオーバが可能な通信方式を示すためのレコードが定義されている。
【先行技術文献】
【特許文献】
【０００４】
【特許文献１】特開２０１１−１９３４７４号公報
【非特許文献】
【０００５】
【非特許文献１】ＮＦＣ  Ｆｏｒｕｍ  Ｃｏｎｎｅｃｔｉｏｎ  Ｈａｎｄｏｖｅｒ  １．２
【発明の概要】
【発明が解決しようとする課題】
【０００６】
非特許文献１における技術を用いるとＮＦＣ通信により装置間を近づけるという簡便な操作でＮＦＣ以外の他の方式にハンドーバすることができる。しかしながら、非特許文献１においては、例えばハンドオーバ後の通信に関する情報を通知することが出来ないことやＮＦＣ通信のデータ量の削減などの観点で改善の余地がある。
【０００７】
本発明は、上述の問題に鑑みてなされた発明であって、従来のハンドオーバ技術をより便利に使い易くする仕組みを提供することを目的とする。
【課題を解決するための手段】
【０００８】
上記課題を解決するため、本発明の一態様による通信装置は、第１の通信方式により他の通信装置と無線通信を行う第１通信手段と、前記第１通信方式と異なる通信方式にハンドオーバするためのメッセージに含まれる一つのレコードに複数の通信方式を指定情報を含めて当該メッセージを、前記第１通信手段を用いて送信する送信手段とを有することを特徴とする。
【発明の効果】
【０００９】
本発明によれば、ハンドオーバをより便利に使い易くすることができる。
【図面の簡単な説明】
【００１０】
【図１】実施形態に係るシステム構成を例示する図。
【図２】実施形態に係る通信装置（デジタルカメラ）のハードウェア構成の一例を示す図。
【図３】実施形態に係る通信装置（プリンタ）のハードウェア構成の一例を示す図。
【図４】実施形態に係る通信装置（デジタルカメラ）の機能ブロック構成の一例を示す図。
【図５】実施形態に係る通信装置（プリンタ）の機能ブロック構成の一例を示す図。
【図６】第一の実施形態における通信装置（デジタルカメラ）の動作フローを説明する図。
【図７】第一の実施形態における通信装置（プリンタ）の動作フローを説明する図。
【図８】第一の実施形態におけるデジタルカメラ、プリンタ間の通信シーケンスを例示的に説明する図。
【図９】第二の実施形態における通信装置（デジタルカメラ）の動作フローを説明する図。
【図１０】第二の実施形態における通信装置（プリンタ）の動作フローを説明する図。
【図１１】第二の実施形態におけるデジタルカメラ、プリンタ間の通信シーケンスを例示的に説明する図。
【発明を実施するための形態】
【００１１】
以下、本実施形態に係る通信装置、通信システムについて、図面を参照しながら詳細に説明する。図１は、以下に説明する本実施形態において想定するシステム１００の機器構成の図である。１０１および１０２は本発明に係る通信装置で、本実施形態においてはそれぞれ１０１はデジタルカメラ、１０２はプリンタである。デジタルカメラ１０１とプリンタ１０２は、ＮＦＣ通信１０３および無線ＬＡＮ通信１０４を用いてお互いに通信が可能である。
【００１２】
続いて、図２はデジタルカメラ１０１のハードウェア構成を示す図である。
【００１３】
デジタルカメラ１０１は、表示部２０１、操作部２０２、記憶部２０３、電源部２０４、撮影部２０５、制御部２０６、ＲＯＭ２０７、ＲＡＭ２０８、無線ＬＡＮ通信部２０９、ＮＦＣ通信部２１０を備える。
【００１４】
表示部２０１は、例えばＬＣＤやＬＥＤにより構成され、視覚で認知可能な情報の出力する機能を有し、アプリケーションに係るＵＩの表示を行う。操作部２０２は、ユーザが各種入力等を行い、通信装置を操作するための機能を有する。記憶部２０３は、例えば、ＨＤＤにより構成され、無線通信ネットワーク情報、データ送受信情報、画像データなど各種データを記憶し、管理する。電源部２０４は、例えばバッテリであり、装置全体を動作させるための電源を保持し、各ハードウェアに電力を供給する。撮影部２０５は、撮像素子、レンズ等により構成され、写真や動画の撮影を行う。制御部２０６は、例えばＣＰＵ（Ｃｅｎｔｒａｌ  Ｐｒｏｃｅｓｓｉｎｇ  Ｕｎｉｔ）であり、デジタルカメラ１０１の各構成要素の動作を制御する。ＲＯＭ２０７は、制御命令つまりプログラムを格納し、後述する各種動作は、ＲＯＭ３０７に記憶された制御プログラムを制御部２０６が実行することにより実現される。ＲＡＭ２０８は、プログラムを実行する際のワークメモリやデータの一時保存などに利用される。２０９は、無線ＬＡＮ通信１０４を行う無線ＬＡＮ通信部である。無線ＬＡＮ通信部２０９は、ＩＥＥＥ８０２．１１シリーズに準拠した無線通信を行う。なお、本実施例では、無線ＬＡＮ通信部２０９は、ＩＥＥＥ８０２．１１シリーズに準拠した無線通信を行うものとしたが、Ｂｌｕｅｔｏｏｔｈ（登録商標）等の他の通信方式を用いてもよい。２１０は、ＮＦＣ通信１０３を行うＮＦＣ通信部である。ＮＦＣ通信部２１０は、ＮＦＣ（Ｎｅａｒ  Ｆｉｅｌｄ  Ｃｏｍｍｕｎｉｃａｔｉｏｎ）に準拠した無線通信を行う。また、ＮＦＣ通信部２１０は、通信範囲内に通信可能な装置を検出すると自動的にＮＦＣ通信１０３を確立する。なお、ＮＦＣ通信部２１０は、ＮＦＣに準拠した無線通信を行うものとしたが、無線ＬＡＮ通信部２０９が用いる通信方式より、通信距離が短い通信方式を用いればよい。また、ＮＦＣ通信部２１０は、無線ＬＡＮ通信部２０９が用いる通信方式より、通信速度が遅い通信方式を用いればよい。
【００１５】
続いて、図３はプリンタ１０２のハードウェア構成を示す図である。プリンタ１０２は、デジタルカメラ１０１の撮影部２０５の変わりに印刷処理部３１０を備える。印刷処理部３１０は記憶部３０３に記憶されたイメージデータを印刷する。その他の構成部位については、デジタルカメラ１０１と同一であるため、ここでは記載を省略する。
【００１６】
次に図４、図５を参照して、デジタルカメラ１０１、プリンタ１０２の機能ブロック図を説明する。本実施形態において、デジタルカメラ１０１、プリンタ１０２の機能ブロックは、それぞれＲＯＭ２０７、ＲＯＭ３０７にプログラムとして記憶され、制御部２０６、制御部３０５によって当該プログラムが実行されることによりその機能が実施される。制御部２０６、２０７は、制御プログラムにしたがって、各ハードウェアの制御、および、情報の演算や加工を行うことで各機能が実現される。なお、本機能ブロックに含まれる一部または全部がハードウェア化されていてもよい。この場合、各機能ブロックに含まれる一部または全部は、例えばＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）により構成される。
【００１７】
図４はデジタルカメラ１０１の機能ブロック図（４００）である。デジタルカメラ１０１は、無線ＬＡＮ通信制御部４１０、ＮＦＣ通信制御部４２０、サービス実行部４３０を備える。
【００１８】
無線ＬＡＮ通信制御部４１０は、無線ＬＡＮ通信部２０９を介した無線ＬＡＮ通信を制御する処理部である。また無線ＬＡＮ通信制御部４１０は、無線ＬＡＮの端末として動作するＳｔａｔｉｏｎ機能と、アクセスポイントとして動作するＡＰ機能を備える。ＮＦＣ通信制御部４２０はＮＦＣ通信部２１０を介したＮＦＣ通信を制御する処理部である。サービス実行部４３０は、デジタルカメラ１０１が無線ＬＡＮ通信制御部４１０を用いて実行できる外部機器のサービス情報を管理し、サービスを実行する処理部である。サービス実行部４３０では、サービスの識別子やそれに対応するサービスの実行手順、サービスのオプション情報などをサービス情報として管理する。なお本実施例のデジタルカメラ１０１は「印刷サービスＡ」「印刷サービスＢ」という２種類のサービスが実行可能であるものとする。
【００１９】
図５はプリンタ１０２の機能ブロック図（５００）である。プリンタ１０２は、無線ＬＡＮ通信制御部５１０、ＮＦＣ通信制御部５２０、サービス制御部５３０、印刷制御部５４０を備える。
【００２０】
無線ＬＡＮ通信制御部５１０は、無線ＬＡＮ通信部３０８を介した無線ＬＡＮ通信を制御する処理部である。また無線ＬＡＮ通信制御部５１０は、無線ＬＡＮの端末として動作するＳｔａｔｉｏｎ機能と、アクセスポイントとして動作するＡＰ機能を備える。ＮＦＣ通信制御部５２０はＮＦＣ通信部３０９を介したＮＦＣ通信を制御する処理部である。サービス制御部５３０は、プリンタ１０２が無線ＬＡＮ通信制御部５１０を介して外部機器に提供できるサービスの情報を管理し、サービスを実行する処理部である。サービス制御部５３０では、サービスの識別子やそれに対応するサービスの実行手順、サービスのオプション情報などをサービス情報として管理する。なお本実施例のプリンタ１０２は「印刷サービスＡ」「印刷サービスＣ」「印刷サービスＤ」という３種類のサービスが実行可能であるものとする。印刷制御部５４０は、印刷処理部３１０による印刷処理を制御する機能部である。サービス制御部５３０は外部機器からの要求に応じて印刷制御部５４０を制御し、外部機器から受信した印刷データを印刷する事が出来る。
【００２１】
上述の構成を有する通信システムの動作ついて説明を行う。
【００２２】
（第一の実施形態）
図６、図７のフローチャートを参照して、第一の実施形態におけるデジタルカメラ１０１およびプリンタ１０２の動作手順について説明する。
【００２３】
図６のフローチャートは、デジタルカメラ１０１とプリンタ１０２とをユーザによる操作により近接させた際のデジタルカメラ１０１の動作手順を示す。
【００２４】
デジタルカメラ１０１のＮＦＣ通信制御部４２０は、プリンタ１０２のＮＦＣ通信部３０９の近接を検知すると、プリンタ１０２との間でＮＦＣによる通信を確立する（Ｓ６０１）。次にデジタルカメラ１０１の制御部２０６は、プリンタ１０２との間で実行したいサービスが決定しているかどうか判定を行う（Ｓ６０２）。実行したいサービスの決定方法は、本実施例では実行したいサービスの決定は、操作部２０２により受付けたユーザ操作によって行われるものとする。Ｓ６０２の判定は、デジタルカメラ１０１でＮＦＣ通信開始までに行われたユーザ操作によって変化するものとする。即ち、Ｓ６０２の判定は、デジタルカメラ１０１が実行するサービスが選択された状態でプリンタ１０２とＮＦＣ通信部２１０を介して接続したか実行するサービスが選択されていない状態でＮＦＣ通信部２１０を介して接続したかで行われる。
【００２５】
プリンタ１０２との間で実行したいサービスが決定している場合（Ｓ６０２でＹＥＳ）、デジタルカメラ１０１はＮＦＣ通信を用いて当該サービスの実行可否を判定する（Ｓ６０３〜Ｓ６０８）。プリンタ１０２との間で実行したサービスが決定していない場合（Ｓ６０２でＮＯ）、デジタルカメラ１０１はプリンタ１０２と無線ＬＡＮ通信で接続してから、無線ＬＡＮ通信を用いて当該サービスの実行可否を判定する（Ｓ６０９〜Ｓ６１６）。
【００２６】
プリンタ１０２との間で実行したいサービスが決定している場合（Ｓ６０２でＹＥＳ）、ＮＦＣ通信制御部４２０は、実行したいサービスの識別子情報を含むハンドオーバ要求メッセージをＮＦＣ通信部２１０によりプリンタ１０２に送信する（Ｓ６０３）。ここでいうサービスの識別子とは、個々に仕様が規定されるサービスに一意に対応付けられた整数値である。また、ハンドオーバ要求メッセージには、ＮＦＣとは異なる通信方式により新たに接続するためにその接続に必要な接続パラメータを要求するためのメッセージである。なお、ハンドオーバ要求メッセージにサービスの識別子の他にサービスの付属情報等を含んでも良い。例えば、印刷したいファイルのエンコード形式、印刷用紙サイズ、印刷色、両面印刷の有り／無しなどの情報を付加して送信しても良い。また、上記ハンドオーバ要求メッセージには、サービスを実行する際に使用する無線通信インタフェースの情報を含んでも良い。無線通信インタフェースの情報とは、無線ＬＡＮまたはＢｌｕｅｔｏｏｔｈ（登録商標）を示す情報である。
【００２７】
なお、本実施形態では、デジタルカメラ１０１は所望のサービス方式が「印刷サービスＡ」で、所望の接続形態が無線ＬＡＮ、印刷したいファイル形式がＪＰＥＧであることを示す情報を含めたハンドオーバ要求メッセージを送信するものとする。また、本実施形態において、上記ハンドオーバ要求メッセージとはＮＦＣ  Ｆｏｒｕｍ  Ｃｏｎｎｅｃｔｉｏｎ  Ｈａｎｄｏｖｅｒ  Ｔｅｃｈｎｉｃａｌ  Ｓｐｅｃｉｆｉｃａｔｉｏｎにて規定されるＨａｎｄｏｖｅｒ  Ｒｅｕｑｅｓｔメッセージである。
【００２８】
続いてＮＦＣ通信制御部４２０は、プリンタ１０２からＮＦＣ通信を介してハンドオーバ応答メッセージを受信し（Ｓ６０４）、メッセージ内容を解析する。本実施形態において、応答メッセージはＮＦＣ  Ｆｏｒｕｍ  Ｃｏｎｎｅｃｔｉｏｎ  Ｈａｎｄｏｖｅｒ  Ｔｅｃｈｎｉｃａｌ  Ｓｐｅｃｉｆｉｃａｔｉｏｎにて規定されるＨａｎｄｏｖｅｒ  Ｓｅｌｅｃｔメッセージである。また、上記ハンドオーバ応答メッセージには、Ｓ６０３で送信したハンドオーバ要求メッセージに含まれるサービスをプリンタ１０２で実行可能かどうかを示す情報が含まれる。該応答メッセージでサービスが実行可能であるとされた場合（Ｓ６０５でＹＥＳ）、デジタルカメラ１０１は同メッセージに含まれる無線ＬＡＮの接続パラメータに従って無線ＬＡＮネットワークに接続する（Ｓ６０６）。なお、接続パラメータは、プリンタ１０２がアクセスポイントとして構築するネットワークに接続するための情報である。接続パラメータには、ＳＳＩＤ、暗号鍵、暗号方式、認証鍵、認証方式、Ｐａｓｓｐｈｒａｓｅ、プリンタ１０２のＭＡＣアドレスの全てもしくは少なくともいずれか含まれる。
【００２９】
デジタルカメラ１０１の無線ＬＡＮ通信部２０９が取得した接続パラメータに基づいて無線ＬＡＮネットワークに接続すると、サービス実行部４３０はＳ６０３で送信したサービスの手順に従って、サービスを実行する（Ｓ６０７）。サービス実行部４３０は、取得した接続パラメータの無線ＬＡＮネットワークにおいて、無線ＬＡＮ通信部３０８による通信によりサービスを実行する。また、ハンドオーバ応答メッセージにおいて、ハンドオーバ要求メッセージに含まれるサービスが実行不可であるとされた場合（Ｓ６０５でＮＯ）、サービス実行部４３０は印刷処理に失敗した事を示すメッセージを表示部２０１に表示する（Ｓ６０８）。そして、処理を終了する。なお、エラーの通知方法はメッセージ表示に限るものではなく、例えばデジタルカメラ１０１本体の振動や、音声、ＬＥＤライトの点灯等によってエラーを通知しても良い。
【００３０】
一方デジタルカメラ１０１が実行するサービスを選択していない状態でプリンタ１０２とＮＦＣ接続した場合（Ｓ６０２でＮＯ）、ＮＦＣ通信制御部４２０はサービス情報を含めないで要求メッセージをＮＦＣ通信によりプリンタ１０２に送信する（Ｓ６０９）。続いて、ＮＦＣ通信制御部４２０は、プリンタ１０２からハンドオーバ応答メッセージを受信する（Ｓ６１０）。次に無線ＬＡＮ通信制御部４１０は、ハンドオーバ応答メッセージに含まれる無線ＬＡＮの接続パラメータに従って無線ＬＡＮネットワークに接続する（Ｓ６１１）。無線ＬＡＮネットワークへの接続が完了すると、無線ＬＡＮ通信制御部４１０は、無線ＬＡＮネットワーク上でサービス検索処理を行い、ネットワーク上の通信装置がサポートするサービスの情報を収集する（Ｓ６１２）。本サービス検索処理は、例えばＳＳＤＰ（Ｓｉｍｐｌｅ  Ｓｅｒｖｉｃｅ  Ｄｉｓｃｏｖｅｒｙ  Ｐｒｏｔｏｃｏｌ）やｍＤＮＳ（Ｍｕｌｔｉｃａｓｔ  ＤＮＳ）といった通信プロトコルを用いて行われる。サービス実行部４３０は、Ｓ６１２の検索処理の結果において実行可能なサービスをサポートする通信装置を発見出来た場合（Ｓ６１３でＹＥＳ）、当該サービスの選択処理を行う（Ｓ６１４）。そして、サービス実行部４３０は、選択されたサービスを実行する（Ｓ６１５）。なお、Ｓ６１４の選択処理は、例えばユーザがサービス名を選択することにより行われる。Ｓ６１２の検索処理の結果実行可能なサービスをサポートする通信装置を発見出来なかった場合（Ｓ６１３でＮＯ）、サービス実行部４３０は印刷処理に失敗した事を示すメッセージを表示部２０１に表示する（Ｓ６１６）。そして、処理を終了する。なおＳ６０８と同様、エラーの通知方法はメッセージ表示に限るものではなく、例えばデジタルカメラ１０１本体の振動や、音声、ＬＥＤライトの点灯等によってエラーを通知しても良い。
【００３１】
続いて、図７のフローチャートは、デジタルカメラ１０１とプリンタ１０２を近接させた際のプリンタ１０２の動作手順を示す。
【００３２】
プリンタ１０２は、ＮＦＣ通信制御部５２０がデジタルカメラ１０１のＮＦＣ通信部２１０の近接を検知すると、デジタルカメラ１０１との間でＮＦＣによる通信を確立する（Ｓ７０１）。次にＮＦＣ通信制御部５２０は、デジタルカメラ１０１からのハンドオーバ要求メッセージをＮＦＣ通信で受信する（Ｓ７０２）。受信したハンドオーバ要求メッセージにサービスの情報が含まれている場合（Ｓ７０３でＹＥＳ）、サービス制御部５３０は当該サービスを自身が実行可能かどうか判定する（Ｓ７０４）。当該サービスが実行可能ならば（Ｓ７０４でＹＥＳ）、ＮＦＣ通信制御部５２０はハンドオーバ応答メッセージに当該サービスが実行可能であることを示す情報を付加してデジタルカメラ１０１に送信する（Ｓ７０５）。また当該サービスが実行不能ならば（Ｓ７０４でＮＯ）、ＮＦＣ通信制御部５２０はハンドオーバ応答メッセージに当該サービスが実行不能であることを示す情報を付加してデジタルカメラ１０１に送信し（Ｓ７０９）、処理を終了する。また、受信したハンドオーバ要求メッセージにサービスの情報が含まれていない場合は（Ｓ７０３でＮＯ）、ＮＦＣ通信制御部５２０は、サービスの実行可能／不能情報を含まないハンドオーバ応答メッセージをデジタルカメラ１０１に送信する（Ｓ７１０）。またＮＦＣ通信制御部５２０は、Ｓ７０５、Ｓ７１０で送信するハンドオーバ応答メッセージにサービス実行時に使用する無線ＬＡＮネットワークの接続パラメータも含めて送信する。
【００３３】
続いて無線ＬＡＮ通信制御部５１０は、アクセスポイント機能を起動し、上記応答メッセージに含めた接続パラメータに対応する無線ＬＡＮネットワークを生成する（Ｓ７０６）。さらにサービス制御部５３０は、自身がサポートする印刷サービスの待ち受けを開始する（Ｓ７０７）。もしＳ７０２で受信したハンドオーバ要求メッセージに印刷サービスの情報が指定されているならば、プリンタ１０２は指定された印刷サービスの待ち受けを開始する。もしＳ７０２で受信したハンドオーバ要求メッセージに印刷サービスの情報が指定されていないならば、プリンタ１０２は自身がサポートする全ての印刷サービスの待ち受け処理を開始する。待ちうけを開始したサービスの情報はＳ７０６で作成した無線ＬＡＮネットワーク上に通知され、当該無線ＬＡＮネットワーク上の他の通信装置から検索されるようになる。
【００３４】
その後印刷制御部５４０は、デジタルカメラ１０１から画像データが送信されるとこれを受信して印刷する（Ｓ７０８）。
【００３５】
次に、デジタルカメラ１０１とプリンタ１０２との間の通信シーケンスの一例について、図８を参照して詳述する。図８において、まずデジタルカメラ１０１とプリンタ１０２を近づけるユーザ操作に応じて両者間でのＮＦＣ通信が確立される（Ｓ８０１）。次にデジタルカメラ１０１はハンドオーバ要求メッセージをプリンタ１０２にＮＦＣ通信により送信する（Ｓ８０２）。該ハンドオーバ要求メッセージには、デジタルカメラ１０１が「印刷サービスＡ」方式を用いて、無線ＬＡＮ通信でＪＰＥＧファイルを印刷したい旨を表す情報が付加される。プリンタ１０２は、受信したハンドオーバ要求メッセージに含まれるサービスの実行可否情報と、自身が生成する無線ＬＡＮネットワークの接続パラメータを含めたハンドオーバ応答メッセージをデジタルカメラ１０１にＮＦＣ通信により送信する（Ｓ８０３）。前述の通り、プリンタ１０２がサポートするサービスは「印刷サービスＡ」「印刷サービスＣ」「印刷サービスＤ」なので、ここではサービスが実行可能であることを表す情報を含めて該メッセージをＮＦＣ通信により送信する。続いてプリンタ１０２は、アクセスポイント機能を起動して、Ｓ８０３で送信した接続パラメータに対応する無線ＬＡＮネットワークを生成する（Ｓ８０４）。さらにプリンタ１０２は、「印刷サービスＡ」による印刷サービスの待ち受け処理を開始する（Ｓ８０５）。
【００３６】
一方、デジタルカメラ１０１は、無線ＬＡＮ通信部３０８を起動し、受信した接続パラメータに対応する無線ＬＡＮネットワークを検索して接続する（Ｓ８０６）。無線ＬＡＮネットワークへの接続が完了すると、デジタルカメラ１０１は印刷サービスＡの手順に従って印刷したい画像データをプリンタ１０２に無線ＬＡＮネットワークを介して送信する（Ｓ８０７）。プリンタ１０２は、受信した画像データを印刷する（Ｓ８０８）。
【００３７】
なお、上記実施例では、デジタルカメラ１０１からプリンタ１０２に送信するハンドオーバ要求メッセージには１つのサービス情報のみを含んでいるが、本発明はこれを制限するものでは無く、複数のサービス情報が含まれても構わない。例えばハンドオーバ要求メッセージに複数のサービス情報と、全てのサービスの実行を要求するのか（ＡＮＤ）いずれかのサービスのみ実行出来ればよいのか（ＯＲ）を表す情報を更に付加して送るとしても良い。
【００３８】
以上説明したように、本実施形態によれば、ハンドオーバリクエストメッセージにサービス情報を付加するので、ハンドオーバ前に装置間でサービスの情報を共有することができる。また、ハンドオーバ前にサービス情報を装置間で共有するので、通信相手が所望のサービスに対応していない場合、ハンドオーバ処理を抑制することができる。したがって、必要な場合のみＮＦＣから無線ＬＡＮやＢｌｕｅｔｏｏｔｈ（登録商標）へのハンドオーバ処理を実施することができる。また、一般的に、無線ＬＡＮの接続処理には数秒から十数秒程度の時間を要するため、不必要なハンドオーバを抑制することでこれらの無駄な時間を省略することがでる。
【００３９】
（第二の実施形態）
上記第一の実施形態においては、ＮＦＣ通信を用いて実施するサービスの情報を共有する方法として、サービスを利用する装置が利用可能なサービスを、サービスを提供する装置に送信する方法を例示した。以下では第二の実施形態として、サービスを提供する装置が、自身がサポートするサービスの情報を利用装置に送信することで、実施するサービスの情報を合意する方法について例示する。なお、本実施形態における通信システムの構成は第１実施形態と同一である、以下図９から図１１を参照して本実施形態における通信システムの動作の詳細を説明する。
【００４０】
図９のフローチャートは、デジタルカメラ１０１とプリンタ１０２を近接させた際のデジタルカメラ１０１の動作手順を示す。
【００４１】
デジタルカメラ１０１のＮＦＣ通信制御部４２０は、プリンタ１０２のＮＦＣ通信部３０９の近接を検知すると、プリンタ１０２との間でＮＦＣによる通信を確立する（Ｓ９０１）。続いてＮＦＣ通信制御部４２０は、プリンタ１０２からＮＦＣ通信を介してハンドオーバ要求メッセージを受信し（Ｓ９０２）、メッセージ内容を解析する。上記ハンドオーバ要求メッセージには、プリンタ１０２がサポートするサービスの識別子と付加情報が含まれる。ＮＦＣ通信制御部４２０は、受信したハンドオーバ要求メッセージに自身が実行したいサービスの情報が含まれている場合（Ｓ９０３でＹＥＳ）、応答メッセージに通知されたサービスを実行する事を表す情報を含めてプリンタ１０２に送信する（Ｓ９０４）。また、デジタルカメラ１０１は上記応答メッセージにサービス実行時に使用する無線ＬＡＮネットワークの接続パラメータも含めて送信する。
【００４２】
続いてデジタルカメラ１０１は無線ＬＡＮ通信制御部４１０によってアクセスポイント機能を起動し、上記応答メッセージに含めた接続パラメータに対応する無線ＬＡＮネットワークを生成する（Ｓ９０５）。当該無線ＬＡＮネットワークにプリンタ１０２が接続するのを待って、デジタルカメラ１０１はＳ９０２で受信したサービスの中で所望するサービスの手順に従って、印刷する画像データをプリンタ１０２に送信する（Ｓ９０６）。また、上記ハンドオーバ要求メッセージに所望のサービスが含まれていない場合（Ｓ９０３でＮＯ）、デジタルカメラ１０１はサービスを実行しない事を表す情報を含めた応答メッセージをプリンタ１０２に送信する（Ｓ９０７）。そして、デジタルカメラ１０１はエラー情報を表示する（Ｓ９０８）。
【００４３】
図１０のフローチャートは、デジタルカメラ１０１とプリンタ１０２を近接させた際のプリンタ１０２の動作手順を示す。プリンタ１０２のＮＦＣ通信制御部５２０がデジタルカメラ１０１のＮＦＣ通信部２１０の近接を検知すると、デジタルカメラ１０１との間でＮＦＣによる通信を確立する（Ｓ１００１）。次にＮＦＣ通信制御部５２０は、自身がサポートするサービスの識別子情報を含むハンドオーバ要求メッセージをＮＦＣ通信によりデジタルカメラ１０１に送信する（Ｓ１００２）。前述の通り、本実施例においてプリンタ１０２は「印刷サービスＡ」「印刷サービスＣ」「印刷サービスＤ」の３つの印刷サービスをサポートする。したがって、上記ハンドオーバ要求メッセージにはこの３つのサービス情報を含める。
【００４４】
続いてＮＦＣ通信制御部５２０は、デジタルカメラ１０１からＮＦＣ通信を介して応答メッセージを受信し（Ｓ１００３）、メッセージ内容を解析する。受信した応答メッセージにデジタルカメラ１０１がサービスを実行する旨の情報が含まれている場合（Ｓ１００４でＹＥＳ）、無線ＬＡＮ通信制御部５１０は応答メッセージに含まれる接続パラメータに従って無線ＬＡＮネットワークに接続する（Ｓ１００５）。無線ＬＡＮネットワークへの接続が完了すると、印刷制御部５４０は、Ｓ１００２で送信した印刷サービスの待ち受けを開始し（Ｓ１００６）、デジタルカメラ１０１から送信される画像データを受信して印刷する（Ｓ１００７）。また、受信した応答メッセージにデジタルカメラ１０１がサービスを実行しない旨の情報が含まれている場合（Ｓ１００４でＮＯ）、プリンタ１０２は無線ＬＡＮにハンドオーバすることなく処理を終了する。
【００４５】
次に、上記のデジタルカメラ１０１とプリンタ１０２との間の通信シーケンスの一例について、図１１を参照して詳述する。
【００４６】
まずデジタルカメラ１０１とプリンタ１０２を近接させることにより（非図示）、両者間でのＮＦＣ通信が確立される（Ｓ１１０１）。次にプリンタ１０２はハンドオーバ要求メッセージをデジタルカメラ１０１に送信する（Ｓ１１０２）。該要求メッセージには、プリンタ１０２が「印刷サービスＡ」「印刷サービスＣ」「印刷サービスＤ」をサポートしていることを示す情報が付加される。また、「印刷サービスＡ」「印刷サービスＣ」ではＪＰＥＧ、「印刷サービスＤ」ではＰＤＦとＴＩＦＦ形式のファイル印刷が行える旨を表す情報が付加される。また同様に、該要求メッセージには、それぞれの印刷サービスが無線ＬＡＮ通信を用いて実行可能であることを表す情報が付加される。ハンドオーバ要求メッセージを受信したデジタルカメラ１０１は、Ｓ１１０２で通知されたサービスを実行する事を表す情報を付加したハンドオーバ応答メッセージをプリンタ１０２に送信する（Ｓ１１０３）。また、該応答メッセージには、デジタルカメラ１０１が生成する無線ＬＡＮネットワークの接続パラメータが含まれる。続いてデジタルカメラ１０１はアクセスポイント機能を起動して、Ｓ１１０３で送信した無線ＬＡＮネットワーク情報に一致する無線ＬＡＮネットワークを生成し（Ｓ１１０４）、プリンタ１０２の接続を待ちうける。Ｓ１１０３を受信したプリンタ１０２は、当該メッセージに含まれる無線ＬＡＮネットワークを検索して接続する（Ｓ１１０５）。無線ＬＡＮネットワークへの接続が完了すると、プリンタ１０２は「印刷サービスＡ」「印刷サービスＣ」「印刷サービスＤ」による印刷サービスの待ち受け処理を開始する（Ｓ１１０６）。
【００４７】
デジタルカメラ１０１はプリンタ１０２が無線ＬＡＮネットワークに接続したことを検知すると（Ｓ１１０５）、印刷サービスＡの手順に従って印刷したい画像データをプリンタ１０２に送信する（Ｓ１１０７）。プリンタ１０２は、受信した画像データを印刷する（Ｓ１１０８）。
【００４８】
以上説明したように、本実施形態によれば、ハンドオーバリクエストメッセージに提供可能なサービス情報を付加するので、ハンドオーバ前に装置間でサービスの情報を共有することができる。また、ハンドオーバ前にサービス情報を装置間で共有するので、通信相手が所望のサービスに対応していない場合、ハンドオーバ処理を抑制することができる。したがって、必要な場合のみＮＦＣから無線ＬＡＮやＢｌｕｅｔｏｏｔｈ（登録商標）へのハンドオーバ処理を実施することができる。また、一般的に、無線ＬＡＮの接続処理には数秒から十数秒程度の時間を要するため、不必要なハンドオーバを抑制することでこれらの無駄な時間を省略することがでる。
【００４９】
（第三の実施形態）
上記第一、第二の実施形態においては、ＮＦＣからハンドオーバする無線通信方式を無線ＬＡＮに限って説明した。以下では第三の実施形態として、各装置が無線ＬＡＮとＢｌｕｔｏｏｔｈの両無線通信方式を備え、ＮＦＣから無線ＬＡＮとＢｌｕｅｔｏｏｔｈ（登録商標）のいずれか一方へハンドオーバする方法について開示する。
【００５０】
上述の非特許文献１においては、ＮＦＣ通信からのハンドオーバが可能な通信方式を示すためのレコードが定義されている。一つのレコードには一つのハンドオーバを希望する通信方式を含めることが定義されている。したがって、無線ＬＡＮやＢｌｕｅｔｏｏｔｈ（登録商標）等複数の通信方式に対応している装置は、ハンドオーバ後の通信方式を問わない場合、通信方式毎のレコードを含めてハンドオーバのためのプロトコルに従った通信を行う必要がある。しかしながら、複数の通信方式毎にレコードを作成すると、通信されるデータ容量が増大するという問題がある。特に、通信速度が比較的遅く、通信可能な範囲が短いＮＦＣ通信においては、通信されるデータ量が多いと、ＮＦＣ通信のためユーザが対向装置に機器にタッチするという短い時間だけでは、所望の通信が完了しない場合が生じる。
【００５１】
本実施形態は、無線ＬＡＮやＢｌｕｅｔｏｏｔｈ（登録商標）等複数の通信方式に対応している装置においてハンドオーバの際に通信されるデータ量を低減する。
【００５２】
なお、本実施形態における通信システムの構成は、各装置が無線ＬＡＮとＢｌｕｔｏｏｔｈ（登録商標）の両無線通信方式を備える点を除いて第１実施形態と同一である。
【００５３】
装置が複数の無線通信方式を利用可能な場合、前記ステップＳ６０３にて送信されるハンドオーバ要求メッセージには、無線通信インタフェースの情報として無線ＬＡＮとＢｌｕｅｔｏｏｔｈ（登録商標）それぞれの情報が含まれる。また、当該ハンドオーバ要求メッセージには、各無線通信方式上で実行したいサービスの識別子やサービス付属情報等が、各無線通信インタフェースの情報と関連付けて格納される。
【００５４】
例えば、無線ＬＡＮ通信とＢｌｕｅｔｏｏｔｈ（登録商標）のいずれかを用いて「印刷サービスＡ」を行う場合を考える。この場合、ハンドオーバ要求メッセージには無線ＬＡＮ通信を示す情報と関連付けて「印刷サービスＡ」に関する情報が格納されたレコードが含まれる。また同様にＢｌｕｅｔｏｏｔｈ（登録商標）を示す情報と関連付けて「印刷サービスＡ」に関する情報が格納されたレコードが含まれる。また、ハンドオーバ応答メッセージには、少なくとも無線ＬＡＮ通信とＢｌｕｅｔｏｏｔｈ（登録商標）のいずれか一つを用いて「印刷サービスＡ」を実行する事を表す情報と無線ＬＡＮネットワークの接続パラメータが格納されたレコードが含まれる。なお、本実施形態において該レコードは、非特許文献１にて規定されるＡＬＴＥＲＮＡＴＩＶＥ＿ＣＡＲＲＩＥＲ＿ＲＥＣＯＲＤである。該レコードには、該レコードが示すハンドオーバ可能な通信方式を識別するための無線通信インタフェースの情報と、複数の補助情報とが含まれる。なお、本実施形態において無線通信インタフェースの情報は、非特許文献１にて規定されるＣＡＲＲＩＥＲ＿ＤＡＴＡ＿ＲＥＦＥＲＥＮＣＥが示す情報である。なお、無線通信インタフェースの情報には、無線ＬＡＮ／Ｗｉ−Ｆｉ  ＩＢＳＳ／Ｂｌｕｅｔｏｏｔｈ（登録商標）／Ｗｉ−Ｆｉ  ＤＩＲＥＣＴ等のキャリアの種別を含めるができる。また、それぞれの無線キャリアのパワー状態（Ａｃｔｉｖｅ：活性状態、Ｉｎａｃｔｉｖｅ：非活性状態など）を含んでも良い。
【００５５】
また、補助情報は実施形態において非特許文献１にて規定されるＡＵＸＩＬＩＡＲＹ＿ＤＡＴＡ＿ＲＥＦＥＲＥＮＣＥが示す情報である。補助情報には、実行したいサービスの識別子情報が格納される。さらに補助情報として複数のサービスの識別子情報夫々の優先度を示す情報が格納される。
【００５６】
ここで、本実施形態においては、両通信方式上の何れかでサービスを実行する場合、上記レコードに格納する無線通信インタフェースの情報として、任意の複数の通信方式でのハンドオーバを要求することを示すワイルドカード情報を格納する。ワイルドカード情報は、一つのレコードに含めることができる。したがって、ワイルドカード情報は、一つのレコードで相手装置に無線ＬＡＮとＢｌｕｅｔｏｏｔｈ（登録商標）とを含む複数の通信方式を指定することができる。したがって、従来複数のレコードを用いて相手装置に要求していた複数のハンドオーバ後の通信方式を、ワイルドカード情報を用いると、一つのレコードにワイルドカード情報を含めることで複数の通信方式を要求することができる。
【００５７】
ワイルドカード情報をレコードに格納する場合、ハンドオーバ要求メッセージにはワイルドカード情報に関連付けて実行したいサービスの識別子やサービス付属情報等を格納しても良い。例えば、無線ＬＡＮ通信とＢｌｕｅｔｏｏｔｈ（登録商標）等ハンドオーバ後の通信方式を問わず「印刷サービスＡ」を行いたい場合、ハンドオーバ要求メッセージに含まれるレコードにはワイルドカード情報と関連付けて「印刷サービスＡ」に関する情報が格納される。  このように、ハンドオーバ要求メッセージに含めるレコードの無線通信インタフェースの情報としてワイルドカード情報を格納することで、各無線通信方式毎のレコードを格納する場合と比べてハンドオーバ要求メッセージのサイズを節約することが可能となる。これにより、複数の無線通信方式に対応する場合でも、ハンドオーバ要求メッセージのサイズ上限を超過する可能性を低減し、より確実に通信を行うことが可能となる。即ち、通信速度が比較的遅く、通信可能な範囲が短いＮＦＣ通信において、ユーザが対向装置に機器にタッチするという短い時間で、ハンドオーバのための通信を完了することができる。
【００５８】
なお、ハンドオーバ要求メッセージにサービス識別子やサービス付属情報を含めない場合であっても、格納する無線通信インタフェースの情報としてワイルドカード情報のみを格納することで、ハンドオーバ要求メッセージのサイズを節約することが可能となる。
【００５９】
また、ハンドオーバ要求メッセージには無線通信インタフェースの情報として現在使用中の無線通信方式の情報を格納しても良い。現在使用中の無線通信方式の情報を要求メッセージに指定することで、応答メッセージにサービス実行時に使用する無線ＬＡＮネットワークの接続パラメータを含める必要が無くなるため、より効率的にメッセージ交換を行うことができる。
【００６０】
なお、上述の実施形態は一例に過ぎず、本発明は、明細書及び図面に示す実施形態に限定することなく、その要旨を変更しない範囲内で変形して実施できるものである。
【００６１】
また、上述の実施形態においては、どちらかの通信装置がアクセスポイントとなって、アクセスポイントとなる通信装置が接続パラメータを送信することで無線ＬＡＮ通信を行う方法を例示した。しかしながら、本発明はこれを限定するものではない。外部アクセスポイントを介して通信を行うものとしても良いし、アドホックモードによる通信を行うものとしても良い。また、通信装置間でＷｉ−Ｆｉ  Ｄｉｒｅｃｔによる接続手順を行って無線ＬＡＮ通信を行うとしても良い。
【００６２】
また、上述の実施形態においては、デジタルカメラ１０１とプリンタ１０２のシステム構成で説明したが、別の機器を用いて上記の処理を行ってもよい。さらには通信装置間で送受信されるサービスの情報も印刷に関するサービスに限るものではなくてよい。例えば画像送信サービス、動画再生サービス、画像スキャンサービスなどのサービスに関する情報を送受信するものとしても良い。また、これらのサービスの複数をまとめて送受信しても良い。
【００６３】
また、上述の実施形態においては、ハンドオーバ要求メッセージに含まれるサービスが実行されない事を通知するために、サービスが実行されない事を表す情報ハンドオーバ応答メッセージ含めるとしたが、本発明はこれを限定するものではない。即ち、ハンドオーバ要求メッセージを送信した通信装置が、該要求メッセージに含めたサービスが受信側で実行されないことが検知できる方法であればよい。例えば、ハンドオーバ応答メッセージを送信しないことをもって通知するとしても良いし、Ｈａｎｄｏｖｅｒ  Ｓｅｌｅｃｔとは異なるメッセージを送信することで通知するとしても良い。
【００６４】
また、上述の実施形態においては、ＮＦＣ通信で送受信するサービスの識別子はサービスに一意に対応付けられた整数値であるとしたが、本発明はこれを限定するものではない。例えばサービスの名称のような文字列情報であっても構わない。さらには複数のサービスの組に対応付けられるような識別情報であっても構わない。
【００６５】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015061168.tif 000003
【図２】
2015061168.tif 000004
【図３】
2015061168.tif 000005
【図４】
2015061168.tif 000006
【図５】
2015061168.tif 000007
【図６】
2015061168.tif 000008
【図７】
2015061168.tif 000009
【図８】
2015061168.tif 000010
【図９】
2015061168.tif 000011
【図１０】
2015061168.tif 000012
【図１１】
2015061168.tif 000013